(57)【特許請求の範囲】
【請求項１】
正逆転動作が可能な単一個の駆動モータと、駆動モータの出力を伝達するモータギヤ列と、駆動モータの正転時にはディスクを挿入方向に沿って移送し、かつ、駆動モータの逆転時にはディスクを排出方向に沿って移送するディスクギヤ列と、挿入方向に沿って移送されたディスク再生位置へと到着したのに伴って移動を開始するスライダーと、駆動モータの正転時にはピックアップをディスク半径の外向き方向に沿って移送し、かつ、駆動モータの逆転時には光ピックアップをディスク半径の内向き方向に沿って移送するピックアップギヤ列と、ディスクギヤ列及びピックアップギヤ列を切り換えてモータギヤ列と結合させる駆動切り換え機構とを備え、前記駆動切り換え機構は、一端がモータギヤ列の終端ギヤと同一の軸心位置を中心として揺動可能に軸支され、第１及び第２のフック係合部が設けられた揺動アームと、前記揺動アームの他端側に回動可能に軸支され、ディスクギヤ列及びピックアップギヤ列のいずれか一方を構成する所定のギヤと噛み合う切り換えギヤと、切り換えギヤがディスクギヤ列を構成している所定のギヤと噛み合うのに伴って前記第１のフック係合部と係合して揺動アームを位置決め支持する第１のフック部材と、切り換えギヤがピックアップギヤ列を構成している所定のギヤと噛み合うのに伴って前記第２のフック係合部と係合して揺動アームを位置決め支持する第２のフック部材と、前記第１のフック部材を揺動付勢する第１のフック付勢部材と、前記第２のフック部材を揺動付勢する第２のフック付勢部材と、ディスクギヤ列とピックアップギヤ列との間に配置され、ディスクギヤ列及びピックアップギヤ列の一方を構成している所定のギヤとの噛み合いが終了する直前位置にある切り換えギヤがディスクギヤ列及びピックアップギヤ列の他方を構成している所定のギヤと噛み合った位置に到達するまでの移動を仲介するように変位可能に支持された仲介部材とを有し、前記切り換えギヤは、駆動モータの正転時にはディスクギヤ列から離間する方向に沿って回転し、かつ、駆動モータの逆転時にはピックアップギヤ列から離間する方向に沿って回転するものであり、前記第１のフック部材は、揺動アームの揺動方向に沿った一方側の離間位置で揺動可能に軸支されており、第１のフック係合部と係合する第１のアーム係合部が一端に設けられ、かつ、移動してきた前記スライダーと係合したうえで第１のアーム係合部が第１のフック係合部から離間する方向へ第１のフック部材を揺動させるスライダー係合部が他端に設けられ、前記第２のフック部材は、前記揺動アームの揺動方向に沿った他方側の離間位置で揺動可能に軸支されており、第２のフック係合部と係合する第２のアーム係合部が一端に設けられ、ディスク半径の内向き方向へと移動してきた前記ピックアップと係合したうえで第２のアーム係合部が第２のフック係合部から離間する方向へと第２のフック部材を揺動させるピックアップ係合部が他端に設けられ、前記第１のフック付勢部材は、第１のアーム係合部が第１のフック係合部に係合する方向に第１のフック部材を揺動付勢し、前記第２のフック付勢部材は、第２のアーム係合部が第２のフック係合部に係合する方向に第２のフック部材を揺動付勢する、ことを特徴とするディスクプレーヤ。
【発明の詳細な説明】
【０００１】
【発明の属する技術分野】
本発明は、コンパクトディスクの再生時などに用いられるディスクプレーヤに関する。
【０００２】
【従来の技術】
従来から、この種のディスクプレーヤ、つまり、トレイやローラなどによってディスクを所定の再生位置にまで移動させたうえでディスク再生などを行う構成のディスクプレーヤとしては、特開平７−２７２４１７号公報で開示されたようなものが知られている。そして、このディスクプレーヤは、図７で示すように、ディスク５１を挿入方向Ａ及び排出方向Ｂに沿って移送するディスクギヤ列５２と、このディスクギヤ列５２を駆動するディスク移送用の駆動モータ５３と、光ピックアップ５４をディスク半径の外向き方向Ｃ及び内向き方向Ｄに沿って移送するピックアップギヤ列５５と、このピックアップギヤ列５５を駆動するピックアップ移送用の駆動モータ５６とを備えているのが一般的である。
【０００３】
【発明が解決しようとする課題】
ところで、前記従来構成とされたディスクプレーヤにおいては、ディスク移送用及びピックアップ移送用それぞれの駆動モータ５３，５６を使用しているが、２個の駆動モータ５３，５６を使用するのでは、コストアップを招くばかりか、大きな配置スペースを要する結果として全体構造の小型化が実現し難いことになってしまう。
【０００４】
本発明は、このような不都合に鑑みて創案されたものであって、コストダウンを図ると同時に、全体構造の小型化を実現することができる構成とされたディスクプレーヤの提供を目的としている。
【０００５】
【課題を解決するための手段】
本発明にかかるディスクプレーヤは、正逆転動作が可能な単一個の駆動モータと、駆動モータの出力を伝達するモータギヤ列と、駆動モータの正転時にはディスクを挿入方向に沿って移送し、かつ、駆動モータの逆転時にはディスクを排出方向に沿って移送するディスクギヤ列と、挿入方向に沿って移送されたディスク再生位置へと到着したのに伴って移動を開始するスライダーと、駆動モータの正転時にはピックアップをディスク半径の外向き方向に沿って移送し、かつ、駆動モータの逆転時には光ピックアップをディスク半径の内向き方向に沿って移送するピックアップギヤ列と、ディスクギヤ列及びピックアップギヤ列を切り換えてモータギヤ列と結合させる駆動切り換え機構とを備えてなるものであって、前記駆動切り換え機構は、一端がモータギヤ列の終端ギヤと同一の軸心位置を中心として揺動可能に軸支され、第１及び第２のフック係合部が設けられた揺動アームと、前記揺動アームの他端側に回動可能に軸支され、ディスクギヤ列及びピックアップギヤ列のいずれか一方を構成する所定のギヤと噛み合う切り換えギヤと、切り換えギヤがディスクギヤ列を構成している所定のギヤと噛み合うのに伴って前記第１のフック係合部と係合して揺動アームを位置決め支持する第１のフック部材と、切り換えギヤがピックアップギヤ列を構成している所定のギヤと噛み合うのに伴って前記第２のフック係合部と係合して揺動アームを位置決め支持する第２のフック部材と、前記第１のフック部材を揺動付勢する第１のフック付勢部材と、前記第２のフック部材を揺動付勢する第２のフック付勢部材と、ディスクギヤ列とピックアップギヤ列との間に配置され、ディスクギヤ列及びピックアップギヤ列の一方を構成している所定のギヤとの噛み合いが終了する直前位置にある切り換えギヤがディスクギヤ列及びピックアップギヤ列の他方を構成している所定のギヤと噛み合った位置に到達するまでの移動を仲介するように変位可能に支持された仲介部材とを有し、前記切り換えギヤは、駆動モータの正転時にはディスクギヤ列から離間する方向に沿って回転し、かつ、駆動モータの逆転時にはピックアップギヤ列から離間する方向に沿って回転するものであり、前記第１のフック部材は、揺動アームの揺動方向に沿った一方側の離間位置で揺動可能に軸支されており、第１のフック係合部と係合する第１のアーム係合部が一端に設けられ、かつ、移動してきた前記スライダーと係合したうえで第１のアーム係合部が第１のフック係合部から離間する方向へ第１のフック部材を揺動させるスライダー係合部が他端に設けられ、前記第２のフック部材は、前記揺動アームの揺動方向に沿った他方側の離間位置で揺動可能に軸支されており、第２のフック係合部と係合する第２のアーム係合部が一端に設けられ、ディスク半径の内向き方向へと移動してきた前記ピックアップと係合したうえで第２のアーム係合部が第２のフック係合部から離間する方向へと第２のフック部材を揺動させるピックアップ係合部が他端に設けられ、前記第１のフック付勢部材は、第１のアーム係合部が第１のフック係合部に係合する方向に第１のフック部材を揺動付勢し、前記第２のフック付勢部材は、第２のアーム係合部が第２のフック係合部に係合する方向に第２のフック部材を揺動付勢する。
【０００９】
【発明の実施の形態】
以下、本発明の実施の形態を図面に基づいて説明する。図１は本実施の形態にかかるディスクプレーヤの全体構造を示す平面図、図２は切り換えギヤがディスクギヤ列側に位置している状態下での要部構造を示す平面図であり、図３は図２中の要部構造をさらに拡大して示す平面図である。また、図４は図１中のＸ−Ｘ線に沿った構造を示す側面図である一方、図５は切り換えギヤがピックアップギヤ列側に位置している状態下での要部構造を示す平面図、図６は図５中の要部構造をさらに拡大して示す平面図である。なお、従来の形態を示す図７と同じく、本実施形態を示す図１ないし図６中の符号５１はディスクを示している。
【００１０】
本実施の形態にかかるディスクプレーヤは、正逆転動作が可能な単一個の駆動モータ１と、駆動モータ１の出力を伝達するモータギヤ列２と、駆動モータ１の正転時にはディスク５１を挿入方向Ａに沿って移送し、かつ、駆動モータ１の逆転時にはディスク５１を排出方向Ｂに沿って移送するディスクギヤ列３と、挿入方向Ａに沿って移送されたディスク５１が再生位置へと到達したのに伴ってディスク５１の排出方向Ｂに沿った移動を開始するスライダー４と、駆動モータ１の正転時には光ピックアップ５をディスク半径の外向き方向Ｃに沿って移送し、駆動モータ１の逆転時には光ピックアップ５をディスク半径の内向き方向Ｄに沿って移送するピックアップギヤ列６と、ディスクギヤ列３及びピックアップギヤ列６を互いに切り換えてモータギヤ列２と結合させる駆動切り換え機構７とを備えている。なお、ディスクギヤ列３のローラギヤ８がディスク５１を実際に移送するためのローラ９と一体化されており、また、ピックアップギヤ列６が光ピックアップ５を実際に移送するためのリードスクリュー１０を含んでいる。
【００１１】
ところで、従来の形態と同じであるから詳しい説明は省略するが、図１ないし図６のそれぞれにおける符号２３はスピンドルモータ、２４はターンテーブル、２６はクランパ、２７はクランパ保持板、２８はクランパアーム、２９はトリガーレバー、３０はクランパアームバネであり、スピンドルモータ２３はターンテーブル２４上に載置されたディスク５１を回転させるもの、クランパアーム２８はクランパ２６をディスク５１に圧着させるものである一方、トリガーレバー２９はディスク５１が再生位置に到達したことを検知してスライダー４の移動を開始させるものである。また、これらの図中の符号３１はトラバース基板、３２はディスクガイド、３４はローラアーム、３５，３６は付勢アングル、３７，３８はアングルを付勢するためのバネを示しており、各種の部品及び部材を保持しているトラバース基板３１の一側部位置にはスライダー４が移動可能として取り付けられている。さらに、ここでのローラアーム３４はローラ９を保持するものであり、付勢アングル３５，３６はローラ９をディスクガイド３２に向かって付勢するものとなっている。
【００１２】
そして、駆動切り換え機構７は、揺動アーム１１と、切り換えギヤ１２と、第１のフック部材１３と、第１のフック付勢部材である捩りコイルバネ１４と、第２のフック部材１５と、第２のフック付勢部材である板バネ１６と、切り換えギヤ１２の移動を仲介する仲介部材１７とを具備しており、ここでの揺動アーム１１は、その一端がモータギヤ列２の終端ギヤ１８と同一の軸心位置にある揺動支点１１ａを中心として揺動可能に軸支されている一方、その他端には終端ギヤ１８と噛み合う切り換えギヤ１２が回動可能に軸支され、かつ、第１のフック係合部１１ｂ及び第２のフック係合部１１ｃが設けられたものである。なお、図３及び図６中の符号Ｅは、揺動アーム１１の揺動方向を示している。また、切り換えギヤ１２は、揺動アーム１１の揺動に伴って変位したうえでディスクギヤ列３及びピックアップギヤ列６のいずれか一方を構成している所定のギヤ１９，２０と噛み合うものであり、駆動モータ１の正転時にはディスクギヤ列３側に位置し、このディスクギヤ列３から離間する方向に沿って回転しながら所定のギヤ１９と噛み合う一方、駆動モータ１の逆転時にはピックアップギヤ列６側に位置し、このピックアップギヤ列６から離間する方向に沿って回転しながら所定のギヤ２０と噛み合うことになっている。
【００１３】
さらに、第１のフック部材１３は、揺動アーム１１の揺動方向Ｅに沿う一方側の離間位置で揺動可能に軸支されたものであり、その一端には第１のアーム係合部１３ａが設けられている一方、その他端にはスライダー係合部１３ｂが設けられている。なお、図３及び図６における符号１３ｃは、第１のフック部材１３の揺動中心となる揺動支点を示している。そして、このフック部材１３に設けられた第１のアーム係合部１３ａは、切り換えギヤ１２がディスクギヤ列３を構成している所定のギヤ１９と噛み合うのに伴って第１のフック係合部１１ｂと係合したうえで揺動アーム１１を位置決め支持する一方、スライダー係合部１３ｂは、移動してきたスライダー４と係合することによって第１のアーム係合部１３ａが第１のフック係合部１１ｂから離間する方向へと第１のフック部材１３を揺動させることになっている。なお、捩りコイルバネ１４は第１のフック部材１３を揺動付勢しており、この捩りコイルバネ１４でもって揺動付勢されることによって第１のフック部材１３に設けられた第１のアーム係合部１３ａは揺動アーム１１の他端に設けられた第１のフック係合部１１ｂと係合している。
【００１４】
一方、第２のフック部材１５は、揺動アーム１１の揺動方向Ｅに沿った他方側の離間位置で揺動可能に軸支されており、その一端には第２のアーム係合部１５ａが設けられている一方、その他端にはピックアップ係合部１５ｂが設けられている。なお、図３及び図６中の符号１５ｃは、第２のフック部材１５における揺動中心となる揺動支点を示している。そして、このフック部材１５に設けられた第２のアーム係合部１５ａは、切り換えギヤ１２がピックアップギヤ列６を構成している所定のギヤ２０と噛み合うのに伴って揺動アーム１１に設けられた第２のフック係合部１１ｃと係合して揺動アーム１１を位置決め支持する一方、ピックアップ係合部１５ｂは、ディスク半径の内向き方向Ｄへと移動してきたピックアップ５と係合したうえ、第２のアーム係合部１５ａが揺動アーム１１に設けられた第２のフック係合部１１ｃから離間する方向へと第２のフック部材１５を揺動させることになっている。なお、ここでの板バネ１６は、第２のアーム係合部１５ａが揺動アーム１１に設けられた第２のフック係合部１１ｃと係合するまで第２のフック部材１５を揺動付勢している。
【００１５】
さらにまた、仲介部材１７は、ディスクギヤ列３とピックアップギヤ列６との間に位置決めして配置されたうえ、ディスクギヤ列３及びピックアップギヤ列６の一方を構成している所定のギヤ１９，２０との噛み合いが終了する直前位置にある切り換えギヤ１２がディスクギヤ列３及びピックアップギヤ列６の他方を構成している所定のギヤ１９，２０と噛み合った位置に到達するまでの移動を仲介するものであり、ここでの仲介部材１７は、モータギヤ列３の終端ギヤ１８と同一の軸心位置を回動中心とする内歯車の一部を構成する歯車形状とされている。なお、内歯車全体の図示は、省略している。すなわち、この構成であれば、仲介部材１７が歯車形状とされているため、モータギヤ列２の終端ギヤ１８と噛み合ったままの切り換えギヤ１２は、仲介部材１７と噛み合いながらディスクギヤ列３側へと、あるいは、ピックアップギヤ列６側へと確実に移動していくことになる。
【００１６】
なお、切り換えギヤ１２の移動に伴っては移動方向に沿った外力が仲介部材１７に作用することもあるので、歯車形状とされた仲介部材１７を弾性素材からなる支持部材２１でもって揺動可能に支持されていることが好ましい。また、この際における仲介部材１７そのものをゴムやスポンジなどのような弾性樹脂素材でもって作製しておいてもよいことは勿論であり、このような構成であっても切り換えギヤ１２は仲介部材１７との間で発生する摩擦力によって確実に移動し得ることとなる。
【００１７】
つぎに、本実施の形態にかかるディスクプレーヤの動作を説明する。
【００１８】
まず、ディスク５１が挿入口４５から挿入されてくると、フォトセンサー（図示省略）がディスク５１の挿入を検出し、駆動モータ１が正転動作させられる。そして、この駆動モータ１の出力はモータギヤ列２を介して切り換えギヤ１２へと伝達されたうえ、図３中の反時計回り方向に沿って回転する切り換えギヤ１２からギヤ１９を介してディスクギヤ列３へと伝達されることになり、このディスクギヤ列３のローラギヤ８と一体化されたローラ９が図４中の時計回り方向に沿って正転動作する結果、ディスク５１が内部へと挿入されてくる。このとき、ローラ９は付勢アングル３５，３６及びバネ３７，３８によって予めディスクガイド３２の方向（図４では上方向）へと付勢されているので、ディスク５１はディスクガイド３２へと圧着されながらローラ９の回転に伴って再生位置まで挿入されることになり、再生位置まで挿入されたディスク５１はトリガーレバー２９に設けられた第１のディスク当接部２９ａをディスク５１の挿入方向Ａへと押すことになる。
【００１９】
そこで、第１のディスク当接部２９ａが押されたトリガーレバー２９は回動支点２９ｂを中心としながら図１中の時計回り方向に沿って回転することになり、トラバース基板３１に設けられたディスク係止部材３１ａにディスク５１が当接して停止するまでの間、このトリガーレバー２９の先端に設けられたスライダー操作部２９ｃがスライダー４の係合部４ａを押すことになる。その結果、トリガーレバー２９によって係合部４ａが押されたスライダー４のラック部４ｂはディスクギヤ列３を構成しているギヤのうちの１個と噛み合うことになり、噛み合いながらディスク５１の排出方向Ｂに沿って移動する。すると、クランパアーム２８を支持していたスライダー４の支持部４ｃがクランパアーム２８の支持部２８ａから離れる結果、クランパアームバネ３０の作用を受けたクランパアーム２８は回動支点２８ｂを中心として図４中の下方向へと回動することになり、クランパ２６がディスク５１をターンテーブル２４に対して圧着する。
【００２０】
さらに、スライダー４が移動すると、そのカム部４ｄが付勢アングル３５の係合ピン３５ａを操作するため、付勢アングル３５は回動支点３５ｂを中心として図４中の反時計回り方向に沿って回動し、ローラアーム３４の係合ピン３４ａを操作する結果、ローラ９はディスク５１から離間することになり、ローラ９が離間したディスク５１はディスクガイド３２からも離間したうえで回転可能な状態としてターンテーブル２４上に載置される。また、移動したスライダー４の操作部４ｅによっては、第１のフック部材１３に設けられた第２のアーム係合部１３ｂがディスク５１の排出方向Ｂに沿って押されることになり、第１のフック部材１３は揺動支点１３ｃを中心として図３中の時計回り方向に沿って揺動する。
【００２１】
すると、揺動アーム１１における第１のフック係合部１１ｂと係合したうえで揺動アーム１１を位置決め支持していた第１のフック部材１３における第１のアーム係合部１３ａが第１のフック係合部１１ｂから外れるため、揺動支点１１ａを揺動中心としてディスクギヤ列３側へと揺動していた揺動アーム１１は、図３中の反時計回り方向に沿って回転している切り換えギヤ１２がディスクギヤ列３のギヤ１９を回転させる反力の作用を受けてディスクギヤ列３から離間する方向へと揺動することになり、同時に切り換えギヤ１２は、揺動アーム１１と共に、図３中の時計回り方向に沿った移動、つまり、左向きへと移動を開始する。
【００２２】
そして、切り換えギヤ１２が左向きへと移動したうえでディスクギヤ列３のギヤ１９との噛み合いが終了する直前位置までくると、この切り換えギヤ１２はモータギヤ列２の終端ギヤ１８と噛み合ったままで歯車形状とされた仲介部材１７と噛み合うことになり、仲介部材１７と噛み合った切り換えギヤ１２は仲介部材１７でもって移動支持されながら図３中のさらなる左側へと移動させられた後、今度はピックアップギヤ列６を構成している所定のギヤ２０と噛み合い始めることになる。ところが、この際における切り換えギヤ１２は図３中の反時計回り方向に沿って回転し続けているので、ピックアップギヤ列６のギヤ２０とさらに深く噛み合うことになる結果、図５及び図６で示すように、切り換えギヤ１２は仲介部材１７から外れてしまう。そこで、正転動作している駆動モータ１からの出力は切り換えギヤ１２を介したうえでピックアップギヤ列６へと伝達されることになり、光ピックアップ５はピックアップギヤ列６のリードスクリュー１０によってディスク半径の外向き方向へと移動させられる。
【００２３】
また、光ピックアップ５がディスク半径の外向き方向に移動していくと、それまではピックアップ係合部１５ｂが光ピックアップ５と係合しているために変位させられていた第２のフック部材１５が板バネ１６の作用によって揺動支点１５ｃを揺動中心としたうえで図６中の時計回り方向に沿って揺動させられることになり、この第２のフック部材１５に設けられた第２のアーム係合部１５ａが第２のフック係合部１１ｃと係合する結果、揺動アーム１１が第２のフック部材１５によって位置決め支持されることになる。そして、この状態下においては、駆動モータ１を正逆転動作させながらモータギヤ列２及び切り換えギヤ１２，ピックアップギヤ列６を介したうえで光ピックアップ５をディスク半径の外向き方向や内向き方向へと移送し、ディスク５１から信号情報を読み出して再生することが行われる。
【００２４】
一方、ディスク５１から読み出した信号情報や検知スイッチ（図示省略）などからの指示に基づいて駆動モータ１が逆転動作させられると、モータギヤ列２を介して切り換えギヤ１２が図６中の時計回り方向に沿って回転させられ、かつ、ピックアップギヤ列６を介したうえで光ピックアップ５がディスク半径の内向き方向へと移送させられる。そして、ディスク半径の内向き方向へと移送された光ピックアップ５は第２のフック部材１５のピックアップ係合部１５ｂを押すことになり、光ピックアップ５でもってピックアップ係合部１５ｂが押された第２のフック部材１５は板バネ１６に抗しながら揺動支点１５ｃを揺動中心としたうえで図６中の反時計回り方向に沿って揺動する。
【００２５】
すると、揺動アーム１１における第２のフック係合部１１ｃと係合したうえで揺動アーム１１を位置決め支持していた第２のフック部材１５に設けられた第２のアーム係合部１５ａが第２のフック係合部１１ｃから外れてしまうため、揺動支点１１ａを揺動中心としてピックアップギヤ列６側へと揺動していた揺動アーム１１は、時計回り方向に沿って回転している切り換えギヤ１２がピックアップギヤ列６のギヤ２０を回転させる反力の作用を受ける結果としてピックアップギヤ列６から離間する方向へと揺動することになる。その結果、切り換えギヤ１２は、揺動アーム１１と共に、図６中の反時計回り方向に沿った移動、つまり、右向きへと移動し始めることになる。
【００２６】
そして、切り換えギヤ１２が右向きへと移動したうえでピックアップギヤ列６のギヤ２０との噛み合いが終了する直前位置までくると、この切り換えギヤ１２はモータギヤ列２の終端ギヤ１８と噛み合ったままで歯車形状とされた仲介部材１７と噛み合うことになり、仲介部材１７と噛み合った切り換えギヤ１２は仲介部材１７でもって移動支持されながら図６中のさらなる右側へと移動させられた後、ディスクギヤ列３のギヤ１９と噛み合い始める。ところが、この際における切り換えギヤ１２は図６中の時計回り方向に沿って回転し続けているから、ディスクギヤ列３のギヤ１９とさらに深く噛み合うことになり、図２及び図３で示すように、切り換えギヤ１２は仲介部材１７から外れてしまう。そこで、逆転動作している駆動モータ１からの出力は切り換えギヤ１２を介してディスクギヤ列３へと伝達されることになり、ディスクギヤ列３を構成しているギヤのうちの１個とラック部４ｂが噛み合っているスライダー４はディスク５１の挿入方向Ａに沿って移動する。
【００２７】
その結果、このスライダー４の操作部４ｅが第１のフック部材１３に設けられた第２のアーム係合部１３ｂから離間するので、捩りコイルバネ１４によって付勢されている第１のフック部材１３は揺動支点１３ｃを中心として図３中の反時計回り方向に沿って揺動することになり、第１のアーム係合部１３ａが第１のフック係合部１１ａと係合する結果として揺動アーム１１は第１のフック部材１３でもって位置決め支持されることになる。そこで、逆転動作している駆動モータ１からの出力はモータギヤ列２及び切り換えギヤ１２を介したうえ、そのまま安定してディスクギヤ列３に対して伝達され続けることになる。
【００２８】
さらに、スライダー４が移動し続けると、ディスク挿入時の説明とは逆の動作が実行されることになり、ローラ９がディスク５１をディスクガイド３２へと圧着し、クランパアーム２８が図４中の上向きへと押し上げられ、このローラ９が図４中の反時計回り方向に沿って逆転動作する結果としてディスク５１が外部へと排出されてくることになる。なお、このような状態下でも駆動モータ１を正転動作させれば、揺動アーム１１が第１のフック部材１３によって位置決め支持されることになり、ディスクギヤ列３と切り換えギヤ１２とが噛み合うので、ディスク５１を再挿入することも可能である。
【００２９】
【発明の効果】
以上説明したように、本発明にかかるディスクプレーヤでは、ディスク移送用とピックアップ移送用との駆動モータを共通化しており、単一個の駆動モータでもってディスク及び光ピックアップを移送するので、コストダウンを図ると同時に、全体構造の小型化をも実現することができるという効果が得られる。また、本発明においては、駆動切り換え機構の揺動アーム及び切り換えギヤの移動を仲介部材でもって確保することとしており、一般的に用いられているフリクション機構を利用していないので、ディスク移送時やピックアップ移動時における駆動モータの消費電流を低減し、ディスクプレーヤの発熱などを抑制することも可能になるという利点が確保される。
【図面の簡単な説明】
【図１】本実施の形態にかかるディスクプレーヤの全体構造を示す平面図である。
【図２】切り換えギヤがディスクギヤ列側に位置している状態下での要部構造を示す平面図である。
【図３】図２中の要部構造をさらに拡大して示す平面図である。
【図４】図２中のＸ−Ｘ線に沿った構造を示す側面図である。
【図５】切り換えギヤがピックアップギヤ列側に位置している状態下での要部構造を示す平面図である。
【図６】図５中の要部構造をさらに拡大して示す平面図である。
【図７】従来の形態にかかるディスクプレーヤの全体構造を示す平面図である。
【符号の説明】
１    駆動モータ
２    モータギヤ列
３    ディスクギヤ列
４    スライダー
６    ピックアップギヤ列
７    駆動切り換え機構
１１    揺動アーム
１２    切り換えギヤ
１３    第１のフック部材
１４    捩りコイルバネ（第１のフック付勢部材）
１５    第２のフック部材
１６    板バネ（第２のフック付勢部材）
１７    仲介部材
【図１】
0003588713.tif 000002
【図２】
0003588713.tif 000003
【図３】
0003588713.tif 000004
【図４】
0003588713.tif 000005
【図５】
0003588713.tif 000006
【図６】
0003588713.tif 000007
【図７】
0003588713.tif 000008